【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
ガイド用のファスナ部材が、少なくとも上端に取り付けられた可撓性のスクリーンと、
横方向に延びて上記スクリーンの上方に設けられた上部横枠と、
スクリーンの横方向の一端を連結した巻取り軸が内部に収容されている巻取りボックスと、
上記巻取りボックスから繰出されたスクリーンのファスナ部材を抜止状態で摺動自在に係合させるスリット溝が下面に開設されていて、上記上部横枠内に収容されている長尺の上部ガイド部材と、
上記スクリーンの横方向の他端に取り付けられ、上記上部ガイド部材に沿ってスライドする操作框と、
を備えたロールスクリーン装置であって、
上記上部横枠は、下方に開口する溝状に形成されていて、その内部には、長手方向に沿ってそれぞれの側壁側から内向きに突設された一対の突出壁を有し、
上記上部ガイド部材には、長手方向に沿ってそれぞれの側壁から外向きに突設された一対の鍔部が形成されており、
上記上部横枠内において、上記上部ガイド部材は、その一対の鍔部を上記一対の突出壁の上側にそれぞれ配置すると共にそのスリット溝を該一対の突出壁間に配置した状態で、その両端部が該上部横枠に対して固定され、かつ、該上部ガイド部材の上に空間を形成することで、上方向に撓むことが許容されており、
上記鍔部とそれに対向する突出壁との間には、上記上部ガイド部材に対して上方向の付勢力を付与する付勢部材が設けられ、
上記操作框の上端部に一対の係合部が形成されると共に、上記上部ガイド部材の両側壁にそれぞれ被係合部が形成され、
これら被係合部に上記一対の係合部をそれぞれ係合させることにより、上記操作框が上記上部ガイド部材に対して摺動自在に保持されている、
ことを特徴とするロールスクリーン装置。
【請求項２】
上記付勢部材は、上記鍔部又は上記突出壁の何れか一方に一端部を固定し、その他方に他端部を当接した細長い板バネから成り、
該板バネは、上記上部ガイド部材の長手方向に延設されている、
ことを特徴とする請求項１に記載のロールスクリーン装置。
【請求項３】
上記上部横枠は、下方に開口する溝状に形成されていて、建物開口部の上枠に固定するための上部外横枠と、該上部外横枠の内部に着脱可能に収容され、下方に開口する溝状に形成された上部内横枠とから構成され、
該上部内横枠の内部に上記上部ガイド部材を収容すると共に、前記一対の突出壁が、該上部内横枠の側壁からそれぞれ内向きに突設され、
該上部内横枠におけるその上部ガイド部材が収容された部分の基端側をヒンジによって下方に回動自在とし、スクリーン装置の着脱に際しての該上部内横枠の折畳みを可能にしている、
ことを特徴とする請求項１又は２に記載のロールスクリーン装置。
【請求項４】
上記スクリーンの下端にもガイド用のファスナ部材が取り付けられており、
そのファスナ部材を抜止状態で係合させるスリット溝が上面に開設された下部ガイド部材を、上記巻取りボックスから繰り出されたスクリーンの下端に沿って設けている、
ことを特徴とする請求項１から３の何れかに記載のロールスクリーン装置。
【手続補正２】
【補正対象書類名】明細書
【補正対象項目名】０００６
【補正方法】変更
【補正の内容】
【０００６】
上記課題を解決するため、本発明によれば、ガイド用のファスナ部材が、少なくとも上端に取り付けられた可撓性のスクリーンと、横方向に延びて上記スクリーンの上方に設けられた上部横枠と、スクリーンの横方向の一端を連結した巻取り軸が内部に収容されている巻取りボックスと、上記巻取りボックスから繰出されたスクリーンのファスナ部材を抜止状態で摺動自在に係合させるスリット溝が下面に開設されていて、上記上部横枠内に収容されている長尺の上部ガイド部材と、上記スクリーンの横方向の他端に取り付けられ、上記上部ガイド部材に沿ってスライドする操作框と、を備えたロールスクリーン装置であって、上記上部横枠は、下方に開口する溝状に形成されていて、その内部には、長手方向に沿ってそれぞれの側壁側から内向きに突設された一対の突出壁を有し、上記上部ガイド部材には、長手方向に沿ってそれぞれの側壁から外向きに突設された一対の鍔部が形成されており、上記上部横枠内において、上記上部ガイド部材は、その一対の鍔部を上記一対の突出壁の上側にそれぞれ配置すると共にそのスリット溝を該一対の突出壁間に配置した状態で、その両端部が該上部横枠に対して固定され、かつ、該上部ガイド部材の上に空間を形成することで、上方向に撓むことが許容されており、上記鍔部とそれに対向する突出壁との間には、上記上部ガイド部材に対して上方向の付勢力を付与する付勢部材が設けられ、上記操作框の上端部に一対の係合部が形成されると共に、上記上部ガイド部材の両側壁にはそれぞれ被係合部が形成され、これら被係合部に上記一対の係合部をそれぞれ係合させることにより、上記操作框が上記上部ガイド部材に対して摺動自在に保持されていることを特徴とするロールスクリーン装置が提供される。
【手続補正３】
【補正対象書類名】明細書
【補正対象項目名】０００７
【補正方法】変更
【補正の内容】
【０００７】
本発明に係る上記ロールスクリーン装置の好ましい実施形態においては、上記付勢部材は、上記鍔部又は上記突出壁の何れか一方に一端部を固定し、その他方に他端部を当接した細長い板バネから成り、該板バネは、上記上部ガイド部材の長手方向に延設されているものとして構成される。
【手続補正４】
【補正対象書類名】明細書
【補正対象項目名】０００８
【補正方法】変更
【補正の内容】
【０００８】
また、本発明に係る上記ロールスクリーン装置の好ましい実施形態においては、上記上部横枠は、下方に開口する溝状に形成されていて、建物開口部の上枠に固定するための上部外横枠と、該上部外横枠の内部に着脱可能に収容され、下方に開口する溝状に形成された上部内横枠とから構成され、該上部内横枠の内部に上記上部ガイド部材を収容すると共に、前記一対の突出壁が、該上部内横枠の側壁からそれぞれ内向きに突設され、該上部内横枠におけるその上部ガイド部材が収容された部分の基端側をヒンジによって下方に回動自在とし、スクリーン装置の着脱に際しての該上部内横枠の折畳みを可能にしたものとして構成することができる。
さらに、本発明に係る上記ロールスクリーン装置は、上記スクリーンの下端にもガイド用のファスナ部材が取り付けられており、そのファスナ部材を抜止状態で係合させるスリット溝が上面に開設された下部ガイド部材を、上記巻取りボックスから繰り出されたスクリーンの下端に沿うように設けたものとすることもできる。
【手続補正５】
【補正対象書類名】明細書
【補正対象項目名】００１４
【補正方法】変更
【補正の内容】
【００１４】
上記上部横枠２０は、下方に向けて開口する溝状に形成されていて、建物開口部の上開口枠に固定するための長尺状の上部外横枠２１と、上部外横枠２１の内部に着脱可能に収容されていて、同じく下方に向けて開口する溝状に形成された長尺状の上部内横枠２２とから構成されている。そして、上部外横枠２１及び上部内横枠２２は、その一端側が上記巻取りボックス３の上端部に連結され、その他端側が上記側枠４の上端部に連結されている。そして、上記上部内横枠２２は、その内部に、上記スクリーン１０及び操作框４０の上端部を横方向に摺動させて案内するための上記上部インナーレール５０が収容されている。この上部インナーレール５０は、合成樹脂によって長尺で直線状に形成されていて、図中上下方向に可撓性を有している。
【手続補正６】
【補正対象書類名】明細書
【補正対象項目名】００１５
【補正方法】変更
【補正の内容】
【００１５】
ここで、上記上部内横枠２２におけるその上部インナーレール５０が収容された部分は、その基端側がヒンジ２２ａによって下方（図中左回り）に回動自在となっており、その先端側が側枠４に対して係脱可能となっている。具体的には、側枠４の上端部に係止凹部２８が形成され、上部内横枠２２の先端側には係止突部２９が設けられており、この係止突部２９を上記係止凹部２８に対して嵌合により係合させることで、上部内横枠２２を側枠４に対して係止することができる。この係止突部２９は、バネ４８を介して上部内横枠２２に取り付けられており、このバネ４８の伸縮によって、係止凹部２８と係止突部２９との係脱が可能となっている。そうすることによって、建物開口部に対するスクリーン装置１Ａの着脱の際に、上部内横枠２２をコンパクトに畳むことができる。
【手続補正７】
【補正対象書類名】明細書
【補正対象項目名】００２１
【補正方法】変更
【補正の内容】
【００２１】
したがって、上記下部横枠３２は、上方に向けて開口する中空に形成されており、互いに対向する両側壁３３，３３を有している。そして、上記下部横枠３２の下部インナーレール６０が収容された回動部分は、その両側壁３３，３３の上端から内向きに突設された一対の突出壁３４，３４と、これらの突出壁３４，３４の先端縁間に形成された開口部３５とを有している。また、これら突出壁３４，３４には、それらの上面からスクリーン１０側すなわち上方に立設された一対の延出壁３６，３６と、それらの先端から下方に垂下した一対のリブ３７，３７とが設けられている。
【手続補正８】
【補正対象書類名】明細書
【補正対象項目名】００３０
【補正方法】変更
【補正の内容】
【００３０】
そこで、そのようなスクリーン１０の経年による弛みや撓みを防止するため、本実施形態においては、両端部５０ａ，５０ｂが固定された上部インナーレール５０の略中央部が、板バネ７０によって上方に付勢されていると共に、そのインナーレール５０の上方に該インナーレール５０の撓みを許容する空間Ａが形成されている。そうすることによって、たとえ経年によって、スクリーン１０に自重等による伸びが生じたとしても、図４及び図５に示すように、板バネ７０の付勢力でインナーレール１０が上方へ撓むことにより、閉じた状態のスクリーン１０の中央部分が持ち上げられる。その結果、スクリーン１０の上下方向への張りが維持されて、上述のような弛みや撓みを防止することができる。なお、上記スクリーン１０が、巻取りボックス３の巻取り軸２に巻き取られて完全に開いている状態においては、上部インナーレール５０には板バネ７０の付勢力のみが上方に作用するため、該インナーレール５０は最も上方に撓んだ状態となっている。
【手続補正９】
【補正対象書類名】明細書
【補正対象項目名】００３８
【補正方法】変更
【補正の内容】
【００３８】
そして、本実施形態においても、上記第１実施形態と同様にして、両端部５０ａ，５０ｂが固定された上部インナーレール５０の略中央部が、板バネ７０によって上方に付勢されていると共に、そのインナーレール５０の上方に該インナーレール５０の撓みを許容する空間Ａが形成されている。そのため、たとえ経年によって、スクリーン１０に自重等による伸びが生じたとしても、図４及び図５に示すように、板バネ７０の付勢力でインナーレール１０が上方へ撓むことにより、閉じた状態のスクリーン１０の中央部分が持ち上げられ、その結果、スクリーン１０の上下方向への張りが維持されて弛みや撓みを防止することができる。